(57)【要約】  本発明は、固有打席および使用者認証を利用したゴルフレッスン装置およびサーバーに関するものである。本発明は、ゴルフレッスンサーバーと連動して、ゴルフ場またはゴルフ練習場の各打席に備えられて、使用者にゴルフレッスンサービスを提供する装置において、上記使用者が所持した会員用認証カードおよびゴルフクラブと無線通信を行って、上記使用者の認証を行ったり、上記ゴルフクラブに対する情報を受信する無線通信部と、上記使用者のスイングおよび動作を録画またはキャッチする使用者動作感知部と、上記使用者動作感知部から伝送される上記使用者のスイング動画または写真、上記ゴルフレッスンサーバーから伝送されるレッスン動画を保存したり、上記ゴルフ場またはゴルフ練習場および上記打席ＩＤを保存するデータ保存部と、上記スイング動画の保存可否または分析オプションを入力するキー入力部と、上記スイング動画を出力したり、上記ゴルフ場またはゴルフ練習場の情報を視覚的に出力するディスプレイ部と、有線ないし無線ネットワーク網を経由して、上記ゴルフレッスンサーバーとの通信を行うネットワーク接続部と、上記ゴルフレッスンサーバーとの連動によって、上記使用者に上記ゴルフレッスンサービスを提供し、上記使用者の認証、上記スイング動画の録画、再生および送信、上記スイング動画を分析した上記レッスン動画、一般レッスン動画およびゴルフ専門家のスイング動画のうち少なくとも一つ以上を受信および再生する制御部を含むことを特徴とする固有打席および使用者認証を利用したゴルフレッスン装置を提供する。本発明によれば、使用者は、簡単な認証を通じて、サーバーと連動して自分のゴルフスイングに対する分析を専門家からリアルタイムで受信することができ、これにより、正確で早いスイングの更正ができるようにする効果がある。【選択図】図１
2010512938.tif 000002
【特許請求の範囲】
【請求項１】
ゴルフレッスンサーバーと連動して、ゴルフ場またはゴルフ練習場の各打席に備えられて、使用者にゴルフレッスンサービスを提供する装置において、
上記使用者が所持した会員用認証カードおよびゴルフクラブと無線通信を行って、上記使用者の認証を行ったり、上記ゴルフクラブに対する情報を受信する無線通信部と、
上記使用者のスイングおよび動作を録画またはキャッチする使用者動作感知部と、
上記使用者動作感知部から伝送される上記使用者のスイング動画または写真、上記ゴルフレッスンサーバーから伝送されるレッスン動画を保存したり、上記ゴルフ場またはゴルフ練習場および上記打席のＩＤを保存するデータ保存部と、
上記スイング動画の保存可否、または分析オプションを入力するキー入力部と、
上記スイング動画を出力したり、上記ゴルフ場またはゴルフ練習場の情報を視覚的に出力するディスプレー部と、
有線ないし無線ネットワーク網を経由して、上記ゴルフレッスンサーバーとの通信を行うネットワーク接続部と、
上記ゴルフレッスンサーバーとの連動によって、上記使用者に上記ゴルフレッスンサービスを提供して、上記使用者の認証、上記スイング動画の録画、再生および送信、上記スイング動画を分析した上記レッスン動画、一般レッスン動画およびゴルフ専門家のスイング動画のうち少なくとも一つ以上を受信および再生する制御部を含むことを特徴とする、固有打席および使用者認証を利用したゴルフレッスン装置。
【請求項２】
上記無線通信部は  ＲＦＩＤ（Ｒａｄｉｏ  Ｆｒｅｑｕｅｎｃｙ  Ｉｄｅｎｔｉｆｉｃａｔｉｏｎ）、ブルートゥース（Ｂｌｕｅｔｏｏｔｈ）、ＩｒＤＡ（Ｉｎｆｒａｒｅｄ  Ｄａｔａ  Ａｓｓｏｃｉａｔｉｏｎ）、ジグビー（Ｚｉｇｂｅｅ）および超広帯域（Ｕｌｔｒａ  Ｗｉｄｅｂａｎｄ）のうち少なくとも一つ以上の近距離無線通信方式を利用して、上記会員用認証カードおよび上記ゴルフクラブと無線通信を行うことを特徴とする、請求項１記載の固有打席および使用者認証を利用したゴルフレッスン装置。
【請求項３】
上記無線通信部は、上記使用者が上記会員用認証カードを所持して上記打席に入場すると、自動的に認識して、上記会員用認証カードから上記使用者のＩＤおよび会員情報を受信して上記制御部に伝送することを特徴とする請求項１記載の固有打席および使用者認証を利用したゴルフレッスン装置。
【請求項４】
上記使用者動作感知部は、上記使用者の動作を録画するカメラおよび上記動作を認識する動作感知センサー中少なくとも一つ以上を含むことを特徴とする、請求項１記載の固有打席および使用者認証を利用したゴルフレッスン装置。
【請求項５】
上記動作感知センサーは、上記使用者が上記打席に入場することを認識する機能、および上記使用者のスイングを認識して動作単位を区分する機能のうち少なくとも一つ以上を行うことを特徴とする、請求項４記載の固有打席および使用者認証を利用したゴルフレッスン装置。
【請求項６】
上記制御部は、上記使用者の上記会員用認証カードから上記使用者のＩＤを受信すると、上記ゴルフ場またはゴルフ練習場および上記打席のＩＤとともに、上記ゴルフレッスンサーバーに伝送して認証を行うことを特徴とする、請求項１記載の固有打席および使用者認証を利用したゴルフレッスン装置。
【請求項７】
上記制御部は、上記使用者の上記スイング動画を録画して、上記使用者のスイングが終わり次第再生し、使用者が上記キー入力部を通じて保存を命令する信号を入力すると、上記ゴルフレッスンサーバーに上記スイング動画を伝送し保存して、上記データ保存部に保存することを特徴とする、請求項１記載の固有打席および使用者認証を利用したゴルフレッスン装置。
【請求項８】
上記制御部は、上記スイング動画を上記ゴルフレッスンサーバーに伝送した後、上記ゴルフレッスンサーバーから上記スイング動画を分析した上記レッスン動画、上記一般レッスン動画、上記ゴルフ専門家のスイング動画のうち少なくとも一つ以上を受信して保存／再生することを特徴とする、請求項１記載の固有打席および使用者認証を利用したゴルフレッスン装置。
【請求項９】
上記スイング動画は、上記使用者のＩＤ、上記ゴルフクラブのＩＤ、上記ゴルフ場またはゴルフ練習場のＩＤおよび上記打席のＩＤを含んで、上記ゴルフレッスンサーバーに保存されることを特徴とする、請求項１記載の固有打席および使用者認証を利用したゴルフレッスン装置。
【請求項１０】
上記制御部は、上記無線通信部から上記ゴルフクラブに対する情報を受信する場合、上記ゴルフレッスンサーバーと連動して、上記ゴルフクラブを使用する専門家（プロゴルファー）の動画または上記ゴルフクラブに最適化されたスイング動画または上記ゴルフクラブに対する特性情報のうち少なくとも一つ以上を上記使用者に提供することを特徴とする、請求項１記載の固有打席および使用者認証を利用したゴルフレッスン装置。
【請求項１１】
上記制御部は、上記使用者の認証を行った後、上記使用者が前もって上記ゴルフレッスンサーバーに接続して、予め選択した映像を自動的に再生することを特徴とする、請求項１記載の固有打席および使用者認証を利用したゴルフレッスン装置。
【請求項１２】
上記ディスプレー部は、ＬＣＤモニター方式およびホログラム（Ｈｏｌｏｇｒａｍ）方式のうち少なくとも一つ以上の２次元または３次元ディスプレー方式を含むことを特徴とする、請求項１記載の固有打席および使用者認証を利用したゴルフレッスン装置。
【請求項１３】
ゴルフレッスン装置と連動して、使用者にゴルフレッスンサービスを提供するサーバーにおいて、
上記ゴルフレッスンサービスを提供するためのプログラムを保存するプログラム保存部と、
上記使用者のスイング動画およびレッスン動画を保存するデータベースと、
運営者が制御信号を入力するキー入力部と、
複数のモニターを含んで構成され、上記運営者が上記ゴルフレッスン装置から受信される上記スイング動画をモニタリングすることができるように視覚的に出力するディスプレー部と、
有線ないし無線ネットワーク網を含む有線ないし無線通信ネットワークを通じて、上記ゴルフレッスン装置および個人移動通信端末機と通信を行う通信部と、
上記プログラム保存部に保存された上記プログラムを駆動し、上記ゴルフレッスン装置から上記使用者のＩＤ、ゴルフ場またはゴルフ練習場および打席のＩＤを受信して認証を行う機能、上記個人移動通信端末機を通じて、使用者を認証する機能、上記使用者の上記スイング動画を受信して分析した後、上記レッスン動画を生成して保存および伝送する機能、上記ゴルフ場またはゴルフ練習場および上記打席をモニタリングする機能、および上記データベースおよび上記ゴルフレッスン装置に保存されたデータを検索する機能を制御するサーバー制御部を含むことを特徴とする、固有打席および使用者認証を利用したゴルフレッスンサーバー。
【請求項１４】
上記プログラム保存部は、上記スイング動画を分析するスイング動画分析プログラム、上記使用者のＩＤ、上記ゴルフ場またはゴルフ練習場および上記打席のＩＤを管理および認証する認証管理プログラム、複数の上記ゴルフレッスン装置をモニタリングするモニタリング管理プログラム、サーバー管理プログラム、スイング動画インデックスコード分析プログラム、およびＤＢ検索マッピングプログラムのうち少なくとも一つ以上を保存することを特徴とする、請求項１３記載の固有打席および使用者認証を利用するゴルフレッスンサーバー。
【請求項１５】
上記ディスプレー部は、上記ゴルフ場またはゴルフ練習場別、レッスン別、クラブ別、打席別または会員別に、モニタリングすることができる画面を構成し、上記運営者が上記キー入力部によって、特定ゴルフ場またはゴルフ練習場を選択すると、該ゴルフ場またはゴルフ練習場の全打席が出力され、特定打席を選択すると、該の打席がズームアップ（Ｚｏｏｍ−ｕｐ）されて出力されることを特徴とする、請求項１３記載の固有打席および使用者認証を利用したゴルフレッスンサーバー。
【請求項１６】
上記サーバー制御部は、上記使用者の個人移動通信端末機を通じて、上記使用者のＩＤ、上記ゴルフ場またはゴルフ練習場および上記打席のＩＤを受信して、使用者の認証を行って認証に成功する場合、上記ゴルフ場またはゴルフ練習場の上記打席に備えられた上記ゴルフレッスン装置に認証結果を知らせることを特徴とする、請求項１３記載の固有打席および使用者認証を利用したゴルフレッスンサーバー。
【請求項１７】
上記サーバー制御部は、上記ゴルフレッスン装置から伝送される上記スイング動画を分析して、上記レッスン動画を提供する場合に、上記スイング動画を受信次第、上記レッスン動画を生成して送信／再生したり、上記使用者が要請した時間および場所に合わせて、上記ゴルフ場またはゴルフ練習場の上記打席の上記ゴルフレッスン装置で自動的に再生することを特徴とする、請求項１３記載の固有打席および使用者認証を利用したゴルフレッスンサーバー。
【請求項１８】
上記レッスン動画は、上記スイング動画を単純分析した映像、上記使用者の入力によって、ボールが落ちた位置（ラフ、バンカー、フェアウェーおよびトラブル）によるスイングの更正映像、上記ボールが落ちた位置による実際フィールドをスクリーンに出力した後、これによる攻略法に対する映像、および実際フィールドでのゴルフ専門家の動画のうち少なくとも一つ以上を含むことを特徴とする、請求項１７記載の固有打席および使用者認証を利用したゴルフレッスンサーバー。
【請求項１９】
上記サーバー制御部は、上記使用者が上記ゴルフレッスン装置、コンピューター、個人移動通信端末機およびＩＰテレビの中少なくとも一つ以上の通信手段を通じて、上記スイング動画または上記レッスン動画の検索を要請する場合、上記データベースおよび／または上記ゴルフレッスン装置に保存されたデータを検索して提供することを特徴とする、請求項１３記載の固有打席および使用者認証を利用したゴルフレッスンサーバー。
【請求項２０】
上記サーバー制御部は、上記使用者ごとに、レベルおよび環境を考慮して、レベル別、ゴルフクラブ種類別、フィールド条件別、身体条件別、スイング動作別および実践体験を含む様々な難易度のゴルフレッスンを提供し、上記使用者が上記ゴルフレッスンサービスを受けるために、認証を行う場合に、自動的に過去のゴルフレッスンサービスの最終レッスン記録を検索して、次の進度のゴルフレッスンサービスを提供することを特徴とする、請求項１３記載の固有打席および使用者認証を利用したゴルフレッスンサーバー。
【請求項２１】
上記サーバー制御部は、上記ゴルフレッスン装置のディスプレー部を通じて、少なくとも一つ以上のゴルフレッスン進度表を提供し、上記使用者が選択する難易度またはレベルに合うレッスンを選択して提供することを特徴とする、請求項１３記載の固有打席および使用者認証を利用したゴルフレッスンサーバー。
【請求項２２】
上記サーバー制御部は、上記ゴルフレッスン装置から、上記使用者が使用するゴルフクラブに対する情報を受信する場合、上記ゴルフクラブを使用する専門家（プロゴルファー）の動画または上記ゴルフクラブに最適化されたスイング映像または上記ゴルフクラブに対する特性情報のうち少なくとも一つ以上を検索して提供することを特徴とする、請求項１３記載の固有打席および使用者認証を利用したゴルフレッスンサーバー。
【請求項２３】
上記サーバー制御部は、上記使用者が打席に入場して認証を行うと、上記使用者が前もって上記ゴルフレッスンサーバーに接続して、予め選択した映像を自動的に伝送することを特徴とする、請求項１３記載の固有打席および使用者認証を利用したゴルフレッスンサーバー。
【発明の詳細な説明】
【技術分野】
【０００１】
本発明は、固有打席および使用者認証を利用したゴルフレッスン装置およびサーバーに関する。さらに詳しくは、ゴルフ場、またはゴルフ練習場、打席、ゴルフクラブおよび使用者の固有ＩＤを通じて認証を行い、使用者のスイング動画を録画して、これを分析したレッスン動画を、使用者にリアルタイムで提供し、使用者の条件およびレベルに合わせた体系的なレッスンを提供し、使用者に、ゴルフレッスン装置または有線ないし無線ネットワーク網を通じて、スイング動画およびレッスン動画の検索および再生を提供するゴルフレッスン装置およびサーバーに関する。
【背景技術】
【０００２】
最近、急速に大衆化されているゴルフは、他のスポーツと同じく、正しいスイング姿勢が、正確で安定した打球を決め、特に、スイング姿勢は、打球の安全性と正確性、また、飛距離に決定的な影響を及ぼす。従って、ゴルフの実力を向上するためには、使用者の安定したスイング姿勢の維持が必須である。
【０００３】
しかし、正しいスイング姿勢は、使用者の調子や練習時間が足りないことによって、崩れやすく、これはミスショットやフック、スライスのような不安定な打球が発生する原因になる。
【０００４】
また、使用者がスイング姿勢に対する基本的な理論に熟知した場合でも、他人の不合理な姿勢の把握は容易であるが、本人の姿勢は直接見ることができないため、自分の打球に対する原因を把握することが難しく、誤った姿勢が習慣化され、これにより、ゴルフに対する興味を失うことになり、このような場合、使用者は、自分の誤った姿勢を直ちに把握して、正しい打撃姿勢を回復することにより、誤った打球の発生を防止しなければならない。
【０００５】
従来、ゴルフ練習場を利用する使用者たちは、練習場の壁面に附着した鏡やカムコーダまたは一般カメラを利用して、自分の打撃姿勢を点検するが、装備の設置および撮影が不便で、スロービデオの再生や立体的な打撃姿勢の把握が難しくて、日常的に使用するには様々な困難があった。
【０００６】
また、指導コーチや他人から打撃姿勢を更正された場合でも、使用者自分の誤った打撃姿勢を直接見ることができないため、経験的な試行錯誤を繰り返すことは不可避であり、従って、必要な場合、自分の打撃姿勢を直接、手軽くモニターすることができるとともに、複数の使用者が共に利用することができるゴルフレッスン装置が必要になった。
【０００７】
一方、韓国特許出願公開公報第２００２−６６３９７号では、室内外ゴルフ練習場でゴルフ練習をするゴルファーのスイング姿勢を、インターネット上のホームページを通じて更正することができるようにする方法を提示しているが、そのためには、コンピューターなどの端末機を通じてインターネットに接続して、当該サービス業社が提供する特定サイトやホームページに接続しなければならず、使用者の個人ＩＤやパスワードなどを手動で入力して認証を行うため、非常に煩わしい問題点があった。また、使用者は、ウェブページによる更正を、インターネットが接続されたコンピューターなどの端末機が備えられた特定場所、ゴルフ練習場では、コンピューターが備えられたロビー、休憩室などの場所、またはコンピューターが備えられた家庭やコンピューター室などの場所でのみ受信することができ、ゴルフ場やゴルフ練習場などで、ゴルフ練習のためのスイングなどをする際には、インターネットを利用した更正サービスを利用することができなかった。
【０００８】
従って、使用者がスイングをする打席では、自分のスイングを分析した映像を見ることができなくて、その効果が顕著に低下し、使用者の実力やレベル、または状況を考慮した分析を実施することができないという短所があった。
【発明の概要】
【発明が解決しようとする課題】
【０００９】
上述した問題点を解決するために、本発明は、ゴルフ場またはゴルフ練習場、打席、ゴルフクラブおよび使用者の固有ＩＤを通じて認証を行い、使用者のスイング動画を録画して、これを分析したレッスン動画を使用者にリアルタイムで提供し、使用者の条件およびレベルに合わせた体系的なレッスンを提供し、使用者にゴルフレッスン装置、または有線ないし無線ネットワーク網を通じて、スイング動画およびレッスン動画の検索および再生を提供するゴルフレッスン装置、およびサーバーを提供することをその目的とする。
【００１０】
上述した目的を達するために、本発明は、ゴルフレッスンサーバーと連動して、ゴルフ場またはゴルフ練習場の各打席に備えられて、使用者にゴルフレッスンサービスを提供する装置において、上記使用者が所持した会員用認証カードおよびゴルフクラブと無線通信を行って、上記使用者の認証を行ったり、上記ゴルフクラブに対する情報を受信する無線通信部と、上記使用者のスイングおよび動作を録画またはキャッチする使用者動作感知部と、上記使用者動作感知部から伝送される上記使用者のスイング動画または写真、上記ゴルフレッスンサーバーから伝送されるレッスン動画を保存したり、上記ゴルフ場またはゴルフ練習場、および上記打席のＩＤを保存するデータ保存部と、上記スイング動画の保存可否、または分析オプションを入力するキー入力部と、上記スイング動画を出力したり、上記ゴルフ場またはゴルフ練習場の情報を視覚的に出力するディスプレー部と、有線ないし無線ネットワーク網を経由して、上記ゴルフレッスンサーバーとの通信を行うネットワーク接続部と、上記ゴルフレッスンサーバーとの連動によって、上記使用者に上記ゴルフレッスンサービスを提供し、上記使用者の認証、上記スイング動画の録画、再生および伝送、上記スイング動画を分析した上記レッスン動画、一般レッスン動画およびゴルフ専門家のスイング動画のうち少なくとも一つ以上を受信および再生する制御部とを含むことを特徴とする、固有打席および使用者認証を利用したゴルフレッスン装置を提供する。
【００１１】
また、本発明の他の目的によると、ゴルフレッスン装置と連動して、使用者にゴルフレッスンサービスを提供するサーバーにおいて、上記ゴルフレッスンサービスを提供するためのプログラムを保存するプログラム保存部と、上記使用者のスイング動画およびレッスン動画を保存するデータベースと、運営者が制御信号を入力するキー入力部と、複数のモニターを含んで構成され、上記運営者が上記ゴルフレッスン装置から受信される上記スイング動画をモニタリングできるように視覚的に出力するディスプレー部と、有線ないし無線ネットワーク網を含む有線ないし無線通信ネットワークを通じて、上記ゴルフレッスン装置および個人移動通信端末機と通信を行う通信部と、上記プログラム保存部に保存された上記プログラムを駆動し、上記ゴルフレッスン装置から上記使用者のＩＤ、ゴルフ場またはゴルフ練習場および打席のＩＤを受信して認証を行う機能、上記個人移動通信端末機を通じて使用者を認証する機能、上記使用者の上記スイング動画を受信して分析した後、上記レッスン動画を生成して保存および伝送する機能、上記ゴルフ場またはゴルフ練習場および上記打席をモニタリングする機能、および上記データベースおよび上記ゴルフレッスン装置に保存されたデータを検索する機能を制御するサーバー制御部を含むことを特徴とする、固有打席および使用者認証を利用したゴルフレッスンサーバーを提供する。
【発明の効果】
【００１２】
以上説明したように、本発明によれば、使用者は、簡単な認証を通じてサーバーと連動して自分のゴルフスイングに対する分析をゴルフ分析ツールを利用したり、専門家からリアルタイムで受信したり、データベースに保存された様々なレッスン動画およびスイング動画を検索して受信することができ、これにより、正確で早いスイングの更正を可能にする効果がある。
【００１３】
また、使用者のレベルや環境に合わせた様々なレッスンプログラムを提供することができ、より体系的に分析された映像およびレッスン映像を提供することができ、使用者およびゴルフ場／ゴルフ練習場の体系的な管理を提供する効果がある。
【００１４】
また、使用者は、自分のレッスン動画を、いつ、どこでもサーバーに接続して簡単に再生することができる効果があり、使用者が打席に入場した場合、自動的に再生する動画を前以て設定することができて、より便利で、迅速なレッスンを提供することができる効果がある。
【図面の簡単な説明】
【００１５】
【図１】本発明の好ましい実施形態に係るゴルフレッスン装置を概略的に示すブロック構成図である。
【図２】本発明の好ましい実施形態に係るゴルフレッスンサーバーの内部構成を概略的に示すブロック構成図である。
【発明を実施するための形態】
【００１６】
以下、本発明の好ましい実施例を添付された図面を参照して詳しく説明する。まず、各図面の構成要素に参照符号を付け加えるにおいて、同じ構成要素に対しては、他の図面に表示されていても、できるだけ同一符号を付けるようにしているところに留意しなければならない。また、本発明を説明するにおいて、係わる公知の構成、または機能に対する具体的な説明が、本発明の要旨を曖昧にすると判断される場合には、その詳細な説明は省略する。
【００１７】
図１は、本発明の好ましい実施例によるゴルフレッスン装置を概略的に示したブロック構成図である。
【００１８】
本発明の好ましい実施例によるゴルフレッスン装置１００は、ゴルフ練習場の各打席に設置されて、インターネットなどの有線ないし無線通信ネットワーク網を通じてゴルフレッスンサーバー２００と通信して、使用者にゴルフレッスンサービスを提供する機能を有する。
【００１９】
ここで、有線ないし無線ネットワークとは、ＴＣＰ／ＩＰプロトコルおよびその上位階層に存在する様々なサービス、即ち、ＨＴＴＰ、Ｔｅｌｎｅｔ、ＦＴＰ、ＤＮＳ、ＳＭＴＰ、ＳＮＴＰ、ＮＦＳおよびＮＩＳを提供する全世界的な開放型コンピューターネットワーク構造を含む一般的なインターネット網だけではなく、ワイブロ（Ｗｉｂｒｏ）やＨＳＤＰＡ（Ｈｉｇｈ  Ｓｐｅｅｄ  Ｄｏｗｎｌｉｎｋ  Ｐａｃｋｅｔ  Ａｃｃｅｓｓ）などの超高速データ通信網、両方向ＤＭＢシステム（Ｄｉｇｔａｌ  Ｍｕｌｔｉｍｅｄｉａ  Ｂｒｏａｄｃａｓｔｉｎｇ  Ｓｙｓｔｅｍ）などの様々な有線ないし無線通信方式を提供するネットワークを意味する。
【００２０】
本発明の好ましい実施例によるゴルフレッスン装置１００は、無線通信部１１０、使用者動作感知部１２０、データ保存部１３０、キー入力部１４０、ディスプレー部１５０、ネットワーク接続部１５０および制御部１７０を含む。
【００２１】
無線通信部１１０は、ゴルフ打席に入場した使用者が所持した会員用認証カードおよびゴルフクラブに備えられたＲＦＩＤ（Ｒａｄｉｏ  Ｆｒｅｑｕｅｎｃｙ  Ｉｄｅｎｔｉｆｉｃａｔｉｏｎ）タッグとの近距離無線通信を行って、使用者の認証を行うための使用者のＩＤおよびゴルフクラブの情報を受信する装置である。本発明の好ましい実施例による無線通信部１１０は、ＲＦＩＤタッグとの通信のための電波識別モジュール（Ｒａｄｉｏ  Ｆｒｅｑｕｅｎｃｙ  Ｉｄｅｎｔｉｆｉｃａｔｉｏｎ  Ｍｏｄｕｌｅ）を備えており、使用者がＲＦＩＤタッグが含まれた会員用認証カードおよびゴルフクラブを所持して打席に入場すると、これを自動的に認識して使用者のＩＤおよびゴルフクラブの情報を受信して、制御部１７０に伝送する機能をする。
【００２２】
本発明の好ましい実施例では、ＲＦＩＤ方式を利用した近距離無線通信を例として説明しているが、これに限定されるものではなく、ブルートゥース（Ｂｌｕｅｔｏｏｔｈ）、ＩｒＤＡ（Ｉｎｆｒａｒｅｄ  Ｄａｔａ  Ａｓｓｏｃｉａｔｉｏｎ）、ジグビー（Ｚｉｇｂｅｅ）および超広帯域（Ｕｌｔｒａ  Ｗｉｄｅｂａｎｄ）などの様々な無線通信方式が適用されることができる。
【００２３】
一方、使用者が会員用認証カードを所持していない場合には、個人移動通信端末機（未図示）を利用して、無線インターネットまたは無線電話を通じて、ゴルフレッスンサーバー２００に直ちに接続して、使用者のＩＤ、ゴルフ場またはゴルフ練習場および打席のＩＤを入力して、使用者の認証を行うことができ、ゴルフレッスンサーバー２００は、使用者が個人移動通信端末機を通じて、認証に成功した場合、認証結果をゴルフレッスン装置１００に知らせて、ゴルフレッスンサービスを提供するようにする。
【００２４】
また、無線通信部１１０は、使用者がＲＦＩＤタッグを備えたゴルフクラブを所持して打席に入場する場合、ゴルフクラブのＲＦＩＤタッグからゴルフクラブの製造会社、クラブの種類などに対する情報を受信して、制御部１７０に伝送する機能をする。
【００２５】
従って、本発明の好ましい実施例によるゴルフレッスン装置１００は、ゴルフ場、またはゴルフ練習場の固有ＩＤ、および各打席ごとに固有ＩＤを付与して保存しており、使用者がゴルフレッスンサービスを利用しようとする場合、会員用認証カードから受信された会員のＩＤとゴルフ場、ゴルフ練習場および打席のＩＤをゴルフレッスンサーバー２００に伝送して、ゴールプレッスンサーバー２００が、ゴルフレッスンサービスを利用しようとする使用者が位置したゴルフ場、ゴルフ練習場および打席を自動的に管理するようにさせる。
【００２６】
使用者動作感知部１２０は、打席に入場して無線通信部１１０または個人移動通信端末機を通じて、認証に成功した使用者がスイングをする場合、使用者の動作を録画またはキャッチして、データ保存部１３０に保存する機能をする。このために、本発明の好ましい実施例による使用者動作感知部１２０は、使用者の動作を録画するためのカメラ、および動作を認識するための動作感知センサーなどで具現化されることができる。
【００２７】
動作感知センサーは、使用者が打席に入場することを認識する機能、および使用者がスイングをする場合、ゴルフクラブの動きを認識して、動作単位を区分する機能などを有する。
【００２８】
データ保存部１３０は、使用者動作感知部１２０から伝送される使用者のスイング動画または写真を保存したり、ゴルフレッスンサーバー２００から伝送される使用者のスイングを分析したレッスン動画、一般レッスン動画、ゴルフ専門家のスイング動画などを保存して、ゴルフレッスン装置１００が設置されたゴルフ場、ゴルフ練習場および打席のＩＤを保存しており、使用者の認証を行う場合、これを制御部１７０に伝送する機能をする。このために、データ保存部１３０は、ハードディスクドライブ（ＨＤＤ：Ｈａｒｄ  Ｄｉｓｋ  Ｄｒｉｖｅ）および光学ディスクドライブ（ＯＤＤ：Ｏｐｔｉｃａｌ  Ｄｉｓｋ  Ｄｒｉｖｅ）、非揮発性メモリーであり、バイト（Ｂｙｔｅ）単位で内容を修正することができるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、またはブロック（Ｂｌｏｃｋ）単位で内容を修正することができるフラッシュメモリー（Ｆｌａｓｈ  Ｍｅｍｏｒｙ）、およびエスディ−ラム（ＳＤＲＡＭ：Ｓｙｎｃｈｒｏｎｏｕｓ  Ｄｙｎａｍｉｃ  Ｒａｎｄｏｍ  Ａｃｃｅｓｓ  Ｍｅｍｏｒｙ）などの保存手段を含み、保存されたスイング動画のフォーマットは、ＭＰＥＧ（Ｍｏｖｉｎｇ  Ｐｉｃｔｕｒｅ  Ｅｘｐｅｒｔｓ  Ｇｒｏｕｐ）、およびＡＶＩ（Ａｕｄｉｏ  Ｖｉｄｅｏ  Ｉｎｔｅｒｌｅａｖｅ）などのデジタルフォーマットを使用する。
【００２９】
キー入力部１４０は、使用者がスイングをした後、本発明のゴルフレッスン装置１００によって再生される自分のスイング動画を確認して、録画された映像を保存するか否かを入力する入力手段である。本発明のキー入力部１４０は、ゴルフ打席で、使用者が入力しやすい位置に設置されて、様々なオプション、例えば、ボールが落ちた位置（ラフ、バンカー、フェアウェーおよびトラブルなど）による分析、良いスイングおよび悪いスイングなどを区分して入力することができる複数のキーボタンを備える。
【００３０】
使用者がキー入力部１４０によって選択したスイング動画は、リアルタイムでゴルフレッスンサーバー２００に伝送されて保存され、スイング動画ファイルは、使用者のＩＤ、ゴルフクラブのＩＤ、ゴルフ場またはゴルフ練習場のＩＤおよび打席のＩＤなどを含んで保存される。
【００３１】
ディスプレー部１５０は、使用者の動作を録画した映像を視覚的に出力したり、ゴルフ場の気象情報、コース情報、ホール（Ｈｏｌｅ）情報および練習記録などのデータを使用者に提供する出力手段である。
【００３２】
本発明の好ましい実施例によるディスプレー部１５０は、一般的に知られているＬＣＤモニター、ＩＰテレビ（ＩＰ  Ｔｅｌｅｖｉｓｉｏｎ）などのすべての２次元ディスプレー方式を含み、より好ましくは、ホログラム（Ｈｏｌｏｇｒａｍ）を含む３次元（Ｔｈｒｅｅ  Ｄｉｍｅｎｓｉｏｎａｌ）ディスプレー方式を利用して、より立体的／リアルで正確な映像を提供する。
【００３３】
ネットワーク接続部１６０は、有線ないし無線ネットワーク網を経由して、本発明のゴルフレッスン装置１００とゴルフレッスンサーバー２００との通信を行う装置である。ネットワーク接続部１６０は、有線ないし無線ネットワーク網を経由して、ゴルフレッスン装置１００から使用者のスイング動画をゴルフレッスンサーバー２００に伝送して、ゴルフレッスンサーバー２００から使用者のスイング動画を分析したレッスン動画をゴルフレッスン装置１００に伝送するなどの機能をする。
【００３４】
制御部１７０は、本発明のゴルフレッスン装置１００の全般的な動作を制御し、ゴルフレッスンサーバー２００との連動によって、使用者にゴルフレッスンサービスを提供する機能をする。本発明の好ましい実施例による制御部１７０は、使用者が打席に入場する場合、無線通信部１１０を通じて、使用者のＩＤを受信して、使用者のＩＤおよびデータ保存部１３０に保存されたゴルフ場、ゴルフ練習場および打席のＩＤをゴルフレッスンサーバー２００に伝送して、使用者の認証を行い、ゴルフレッスンサーバー２００に、使用者がゴルフレッスンサービスを利用しようとすることを認識させるようにする。
【００３５】
制御部１７０は、使用者が打席に入場して認証に成功すると、使用者動作感知部１２０を制御して、使用者のスイング動画を録画またはキャッチして、これをデータ保存部１３０に保存し、使用者のスイングが終わり次第使用者のスイング動画を再生する。
【００３６】
従って、使用者は、スイングが終わるごとに、自分のスイング動画を直ちに確認することができ、スイング動画をゴルフレッスンサーバー２００に伝送して保存しようとする場合には、キー入力部１４０によって良いスイングまたは悪いスイングなどを選択する。
【００３７】
制御部１７０は、使用者のスイング動画を再生した後、使用者からスイング動画を保存するためのキー入力がある場合、選択された動画に使用者のＩＤ、ゴルフクラブのＩＤ、ゴルフ場またはゴルフ練習場のＩＤおよび打席のＩＤを含めて、ゴルフレッスンサーバー２００に伝送する。
【００３８】
このように、ゴルフレッスン装置１００に保存されたり、ゴルフレッスンサーバー２００に伝送されて保存されたスイング動画、使用者のスイングを分析したレッスン動画、一般レッスン動画、ゴルフ専門家のスイング動画などは、本発明のゴルフレッスンサービスを受ける使用者が個人用コンピューターや個人移動通信端末機、またはＩＰテレビなどの有線ないし無線通信端末を通じて、有線ないし無線ネットワーク網を経由して、いつでも接続して再び確認することができ、本発明のゴルフレッスン装置１００が設置された場所であれば、どのゴルフ場またはゴルフ練習場でも、自分のスイング動画を受信して確認することができる。
【００３９】
また、使用者は、有線ないし無線ネットワーク網を経由して、ゴルフレッスンサーバー２００に接続して、使用者が打席に入場する場合、再生する映像の種類を前以て設定することができる。即ち、使用者が、使用者自分のスイング動画、スイング動画を分析したレッスン動画、一般レッスン動画、プロゴルファーのスイング動画の中で、打席に入場した場合、再生する映像を選択して設定しておけば、制御部１７０は、使用者の認証を行った後、使用者が選択した映像を自動的に再生する機能を行う。
【００４０】
また、制御部１７０は、無線通信部１１０から使用者が所持したゴルフクラブに対する情報を受信した場合、これを使用者のＩＤ、ゴルフ場またはゴルフ練習場および打席のＩＤなどとともに、ゴルフレッスンサーバー２００に伝送して、使用者と同じゴルフクラブを使用するプロゴルファーの動画、該ゴルフクラブに最適化されたスイング姿勢、使い方およびゴルフクラブに対する特性情報などの情報を受信して提供する機能をする。
【００４１】
制御部１７０は、ゴルフレッスンサーバー２００で、使用者のスイング動画を伝送した後、ゴルフレッスンサーバー２００から周期的にかつリアルタイムで使用者のスイングを分析したレッスン動画を受信して再生する。従って、使用者は、自分のスウイング動画に対するゴルフ分析ツールによる分析またはゴルフ専門家の分析や、ゴルフレッスンサーバー２００からゴルフレッスン装置１００のデータ保存部１３０やデータベース２２０で検索したレッスン関連動画、およびゴルフ専門家の動画を受信することができ、ゴルフレッスン装置１００に備えられた別途のスピーカー（未図示）を通じて、ゴルフ専門家の音声をリアルタイムで受信することもできる。
【００４２】
また、本発明の好ましい実施例によるゴルフレッスン装置１００は、ゴルフレッスンサーバー２００との連動によって、使用者ごとのレベルおよび環境を考慮して、レベル別、ゴルフクラブの種類別、フィールドの条件別、身体条件別、スイング動作別および実践体験などの様々な難易度のゴルフレッスンを提供することができ、使用者がゴルフ場またはゴルフ練習場の打席に入場して認証を行う場合、過去ゴルフレッスンサービスを受けたときに提供された最終レッスン記録を検索して、次の進度に自動的に進行する機能を提供することができる。
【００４３】
図２は、本発明の好ましい実施例によるゴルフレッスンサーバーの内部構成を概略的に示したブロック構成図である。
【００４４】
本発明の好ましい実施例によるゴルフレッスンサーバー２００は、上述したゴルフレッスン装置１００との連動によって、使用者の認証およびスイング動画の分析などを通じて、ゴルフレッスンサービスを提供するサーバーである。
【００４５】
本発明の好ましい実施例によるゴルフレッスンサーバー２００は、プログラム保存部２１０、データベース２２０、キー入力部２３０、ディスプレー部２４０、通信部２５０およびサーバー制御部２６０を含む。
【００４６】
プログラム保存部２１０は、ゴルフレッスンサービスを提供するためのプログラムを保存する保存手段である。本発明の好ましい実施例によるプログラム保存部２１０は、使用者のスイング動画を分析するスイング動画分析プログラム、使用者のＩＤ、ゴルフ場またはゴルフ練習場のＩＤおよび各打席のＩＤを管理および認証する認証管理プログラム、ゴルフレッスンサーバー２００と連動する複数のゴルフレッスン装置１００をモニタリングするモニタリング管理プログラム、ゴルフレッスンサーバー２００の全般的な動作を制御するサーバー管理プログラム、ゴルフレッスン装置１００のデータ保存部１３０およびデータベース２２０に保存された様々なスイング動画およびレッスン動画のインデックスコードを分析するプログラム、およびデータ保存部１３０およびデータベース２２０に保存された様々なスイング動画、およびレッスン動画を検索して使用者または使用者の要求に合わせたレッスンデータをマッピングするプログラムなどを保存する。
【００４７】
データベース２２０は、ゴルフレッスン装置１００から伝送される使用者のスイング動画を保存する保存手段であり、各動画には、使用者のＩＤおよび使用するゴルフクラブのＩＤ、ゴルフ場またはゴルフ練習場のＩＤ、打席のＩＤ、および録画時間などの様々なインデックス情報が含まれる。また、データベース２２０は、様々な検索機能および統計機能を提供して、データベース２２０に保存された各動画の検索を容易にする。また、データベース２２０は、スイング動画を分析した内容および専門家のレッスン内容などが含まれたレッスン動画、ゴルフ専門家のスイング動画などの様々なレッスン動画を保存する。
【００４８】
キー入力部２３０は、ゴルフレッスンサーバー２００の運営者がゴルフレッスンサーバー２００の制御信号を入力する入力手段であり、複数のキーボタンを備える。
【００４９】
ディスプレー部２４０は、複数のモニターを含んで構成され、運営者がゴルフレッスン装置１１０から使用者のスイング動画をモニタリングすることができるようにする出力手段である。ディスプレー部２４０は、ゴルフ場またはゴルフ練習場別、各打席別、会員別、レッスン別およびゴルフクラブ別などでモニタリング画面を構成し、運営者がキー入力部２３０を通じて、特定ゴルフ場やゴルフ練習場を選択すれば、該ゴルフ場またはゴルフ練習場の全打席が出力され、特定打席を選択すれば、該打席がズームアップ（Ｚｏｏｍ−ｕｐ）されて出力される。また、使用者がスイング動画の保存を命令しなくても、運営者の選択によって、分析が必要な画面を別に保存することもできる。
【００５０】
通信部２５０は、有線ないし無線ネットワーク網を通じて、ゴルフレッスン装置１００と通信を行い、使用者が個人移動通信端末機を通じて接続する場合、固有打席および使用者認証のための通信を行い、使用者がスイング動画やレッスン動画などを検索しようとする場合、個人用コンピューターおよびＩＰテレビジョンなどを含む様々な有線ないし無線通信端末と通信を行う。
【００５１】
サーバー制御部２６０は、プログラム保存部２１０に保存された各種プログラムを駆動して、ゴルフレッスンサーバー２００の全般的動作を制御し、ゴルフレッスン装置１００から使用者のＩＤ、ゴルフ場またはゴルフ練習場および打席のＩＤを受信して使用者の認証を行う機能、使用者のスイング動画を受信して分析した後、レッスン動画を生成して保存および伝送する機能、各ゴルフ場またはゴルフ練習場および各打席をモニタリングする機能などを行う。
【００５２】
本発明の好ましい実施例によるサーバー制御部２６０は、使用者が会員用認証カードを所持しなくて、個人移動通信端末機を通じて、使用者の認証を行う場合、無線インターネットまたは無線電話を経由して、使用者のＩＤ、ゴルフ場またはゴルフ練習場および打席のＩＤを受信して使用者の認証を行い、認証に成功した場合、ゴルフ場または該ゴルフ練習場の該打席に備えられたゴルフレッスン装置１００に認証結果を伝送して、使用者にゴルフレッスンサービスを提供するようにする。
【００５３】
また、サーバー制御部２６０は、ゴルフレッスン装置１００から伝送されるスイング動画を分析して、レッスン動画を提供する場合に、スイング動画が受信される次第にレッスン動画を生成して、ゴルフレッスン装置１００に伝送して再生することもでき、使用者が要請した時間および場所に合わせて、該ゴルフ場またはゴルフ練習場の該打席のゴルフレッスン装置１００で自動的に再生することができる。
【００５４】
ここで、使用者に提供するレッスン動画は、使用者のスイングを分析したレッスン動画だけではなく、データ保存部１３０およびデータベース２２０に保存されたゴルフ専門家の体系化されたレッスン動画やスイング動画などを検索して提供することもできる。
【００５５】
ここで、使用者が前以て再生する映像を予め指定した場合には、使用者のスイング動画、レッスン動画およびゴルフ専門家の動画の中で、使用者が予め指定した動画を把握して、使用者が打席に入場した場合、または使用者が再生を要請した時間などに合わせて自動的に再生する。
【００５６】
また、レッスン動画は、単純に使用者のスイングを分析した動画だけではなく、使用者の入力によってボールが落ちた位置（ラフ、バンカー、  フェアウェーおよびトラブルなど）によるスイングの更正、ラフ、バンカー、フェアウェーおよびトラブルなどの位置による実際フィールドを、スクリーンに出力した後、これによる攻略法に対する映像、実際フィールドでのゴルフ専門家の動画などを提供することができ、使用者は提供される動画およびゴルフ専門家のリアルタイム音声を聞きながら、より効率的なレッスンを受けることができる。
【００５７】
また、サーバー制御部２６０は、使用者のスイング動画をプロゴルファーなどの専門家の個人移動通信端末機などに伝送して、専門家から使用者のスイングに対する評価や更正、助言などの分析結果データを受信して、これをレッスン動画に反映して、該ゴルフレッスン装置１００に伝送する機能をすることができる。
【００５８】
また、サーバー制御部２６０は、ゴルフレッスン装置１００から使用者が使用するゴルフクラブに対する情報を受信した場合には、使用者と同じゴルフクラブを使用するプロゴルファーの動画、該ゴルフクラブに最適化されたスイング姿勢および使用法などの情報を検索して提供する機能をする。
【００５９】
また、サーバー制御部２６０は、使用者がゴルフレッスン装置１００やコンピューターや個人移動通信端末機、またはＩＰテレビなどの様々な有線ないし無線通信端末を通じて、有線ないし無線ネットワーク網を経由して、スイング動画またはレッスン動画の検索を要請する場合、ゴルフレッスン装置１００のデータ保存部１３０および／またはデータベース２２０に保存されたスイング動画およびレッスン動画を検索して、該使用者に提供する機能をする。
【００６０】
また、サーバー制御部２６０は、各使用者ごとのレベルおよび環境を考慮して、レベル別、ゴルフクラブの種類別、フィールドの条件別、身体条件別、スイング動作別および実践体験などの様々な難易度のゴルフレッスンを提供し、使用者がゴルフレッスンサービスを受けるために認証を行う場合に、自動的に過去ゴルフレッスンサービスを提供した際に提供した最終レッスン記録を検索して、次の進度のゴルフレッスンサービスを提供する。
【００６１】
また、サーバー制御部２６０は、ゴルフレッスン装置１００のディスプレー部１５０を通じて、体系的なゴルフレッスン進度表を提供し、使用者が選択する難易度やレベルに合わせたレッスンを選択して提供する。
【００６２】
上述したような本発明のゴルフレッスン装置１００およびゴルフレッスンサーバー２００は、スイング動作のリアルタイム分析によって、使用者に１対１のレッスンを受けるような効果を提供し、ゴルフレッスン装置１００が設置された場所であれば、国内だけでなく、海外のどの所でも練習または実践中に、スイング動画およびレッスン動画をリアルタイムで再生することができる。
【００６３】
例えば、使用者がゴルフ場またはゴルフ練習場で、ゴルフレッスン装置１００が設置された打席に入場する場合、ゴルフレッスンサーバー２００は、近距離無線通信または個人移動通信端末機を利用した使用者の認証を通じて、使用者の位置または以前のゴルフレッスン記録を自動的に検索して、以前のレッスンに引き続いて提供したり、または使用者の現在の環境（天気など）、レベルやレベルに合わせたレッスンをリアルタイムで把握して提供することができ、使用者は、自分の以前のサービスの中で生成されたレッスン動画やスイング動画を簡単に検索および再生することが可能である。
【００６４】
また、様々なスイング動画およびレッスン動画を、ゴルフレッスン装置１００およびゴルフレッスンサーバー２００に保存して、ネットワーク上に問題が発生したり、サーバーのデータベースに欠陷が発生する場合、使用者に効果的に対応することができる。
【００６５】
以上の説明は、本発明の技術思想を例示的に説明したものに過ぎず、本発明が属する技術分野で通常の知識を有するものであれば、本発明の本質的な特性から逸脱しない範囲で様々な修正および変形が可能である。従って、本発明に開示された実施例は、本発明の技術思想を限定するためのものではなく、説明のためのものであり、このような実施例によって、本発明の技術思想の範囲が限定されるのではない。本発明の保護範囲は、以下の請求範囲によって解釈すべきであり、それと同等な範囲内にあるすべての技術思想は、本発明の権利範囲に含まれるものと解釈すべきである。
【産業上の利用可能性】
【００６６】
本発明が、ゴルフ場またはゴルフ練習場の打席に直接設けられると、使用者がＲＦＩＤタッグを内装した会員カード認証を通じて、サーバーと連動して、自分のゴルフスイングに対する分析を、専門家からリアルタイムでモニター画面を通じて受信することができ、これにより、正確で、早いスイング更正が可能な効果を得ることができて、効率的なレッスンサービスが可能である。
【００６７】
一実施例として、ゴルフレッスン装置は、ゴルフ場またはゴルフ練習場の固有ＩＤおよび各打席ごとに固有ＩＤを付与して保存しており、使用者がゴルフレッスンサービスを使用しようとする場合、会員用認証カードから伝送された会員ＩＤと、ゴルフ場またはゴルフ練習場および打席のＩＤを、ゴルフレッスンサーバーに伝送して、ゴルフレッスンサーバーが、ゴルフレッスンサーバーを利用しようとする使用者が位置するゴルフ場、またはゴルフ練習場および打席を自動的に管理することができるため、効率的にレッスンサービスを提供することができる。
【００６８】
また、本発明の装置の打席で録画、再生および保存される使用者のスイング動画、使用者のスイングを分析したレッスン動画、専門家のレッスン動画などの全ての動画は、本発明のゴルフレッスンサービスを受ける使用者が有線ないし無線ネットワーク網を経由して、家庭やオフィスで個人用コンピューターや個人移動通信端末機などを通じて、いつでも接続して再び再生することができる。
【００６９】
また、本発明のゴルフレッスン装置が設置された場所であれば、どこのゴルフ場またはゴルフ練習場でも、使用者が本発明のサービスを利用しながら、保存された過去のスイング動画を確認および再生することができ、使用者は、過去と現在のスイングを効率的に比較することができるサービスを提供することができる。
【００７０】
さらに、ゴルフレッスン装置は、ゴルフレッスンサーバーとの連動によって、使用者ごとのゴルフレベルおよび環境を考慮して、ゴルフレベル別、ゴルフクラブ別、ゴルフフィールド別、身体条件別、スイング動作別および実践体験などの様々な難易度のゴルフレッスン映像サービスを受けることができ、また、使用者が以前ゴルフレッスンサービスを利用した際に受けた最終レッスン記録を検索して、次の進度に自動的に行う機能を提供することができて、非常に効果的な、使用者ごとに合わせたレッスンサービスを具現することができる。
【００７１】
さらに、本発明は、ゴルフレッスンおよび装置産業において、産業上利用可能性がある。
【符号の説明】
【００７２】
１００  ゴルフレッスン装置
１１０  無線通信部
１２０  使用者動作感知部
１３０  データ保存部
１４０  キー入力部
１５０  ディスプレー部
１６０  ネットワーク接続部
１７０  制御部
２００  ゴルフレッスンサーバー
２１０  プログラム保存部
２２０  データベース
２３０  キー入力部
２４０  ディスプレー部
２５０  通信部
２６０  サーバー制御部
【図１】
2010512938.tif 000003
【図２】
2010512938.tif 000004
【国際調査報告】
2010512938.tif 000005
2010512938.tif 000006